(57)【要約】      （修正有）【課題】熱可塑性樹脂の深部に点在された蓄光材料による蓄光及び発光によって発光輝度と発光持続性が向上した蓄光樹脂材料を有効に利用して、暗闇の中においても段板を容易に視認させ、スムーズな階段の昇降を行えるようにする光源付き階段を提供する。【解決手段】光源付き階段１０は、階段の段板１１が、段板本体部１３の段鼻側端面１３ａに沿って、熱可塑性樹脂に蓄光材料の粉粒体を点在させた蓄光樹脂材料からなる段鼻蓄光部材１４が当該段鼻側端面１３ｂを覆って取り付けられると共に、段板本体部１３の奥部側端面１３ｂに沿って、熱可塑性樹脂に蓄光材料の粉粒体を点在させた蓄光樹脂材料からなる奥部蓄光部材１５が当該奥部側端面１３ｂを覆って取り付けられることにより、段鼻蓄光部材１４と奥部蓄光部材１５の間に段板本体部１３が挟まれて構成されている。熱可塑性樹脂はアクリル樹脂等の紫外線透過率の高い樹脂であることが好ましい。【選択図】図１
2007231550.tif 000002
【特許請求の範囲】
【請求項１】
段板本体部の段鼻側端面に沿って、熱可塑性樹脂に蓄光材料の粉粒体を点在させた蓄光樹脂材料からなる段鼻蓄光部材が当該段鼻側端面を覆って取り付けられると共に、段板本体部の奥部側端面に沿って、熱可塑性樹脂に蓄光材料の粉粒体を点在させた蓄光樹脂材料からなる奥部蓄光部材が当該奥部側端面を覆って取り付けられることにより、前記段鼻蓄光部材と前記奥部蓄光部材の間に前記段板本体部が挟まれて階段の段板が構成されている光源付き階段。
【請求項２】
前記熱可塑性樹脂が、アクリル樹脂等の紫外線透過率の高い樹脂である請求項１に記載の光源付き階段。
【請求項３】
前記段鼻蓄光部材と前記奥部蓄光部材が異なる色に着色されている請求項１又は２に記載の光源付き階段。
【請求項４】
前記段板本体部の中間部分に当該段板本体部を分割するように介在して、熱可塑性樹脂に蓄光材料の粉粒体を点在させた蓄光樹脂材料からなる中間蓄光部材が、前記段鼻蓄光部材及び前記奥部蓄光部材と間隔をおいて取り付けられている請求項１〜３のいずれかに記載の光源付き階段。
【発明の詳細な説明】
【技術分野】
【０００１】
本発明は、光源付き階段に関し、特に、熱可塑性樹脂に蓄光材料の粉粒体を点在させた蓄光樹脂材料を用いた光源付き階段に関する。
【背景技術】
【０００２】
例えば夜間においても、室内の照明や天井からの照明等によることなく、足元の部分から階段の段板を明るく照らして階段の昇降を容易に行えるようにした、例えば発光ダイオードを光源とする光源付きの照明階段が種々提案されている（例えば、特許文献１、特許文献２参照）。
【０００３】
一方、発光ダイオード等の電気を必要とする光源による照明階段では、電気配線のために階段の構造が複雑になると共に、配線作業に手間がかかり、また停電時等においては階段を照らすことができないことから、電気を用いなくても光を発することのできる、蓄光部材を光源とする光源付き階段も提案されている（例えば、特許文献３参照）。
【特許文献１】特開２０００−８２３２４号公報
【特許文献２】特開２００１−５２５２５号公報
【特許文献３】特開２０００−２１３１３５号公報
【特許文献４】特開平８−２１７８８５号公報
【発明の開示】
【発明が解決しようとする課題】
【０００４】
特許文献３の蓄光部材を光源とする光源付き階段は、蓄光部材として、例えば無機質蓄光材料を含有する樹脂、ゴム、ガラス等の部材を、厚さの大きくない板状、棒状、その他の異形状等に成形し、成形した蓄光部材を、段板の段鼻部分の表面に設けた溝に装着したり、段鼻部分の表面に凸条部として設けたり、段鼻の角部をＬ字状に覆って取り付けたりして構成されるものであり、暗闇の中において、段板の近くでこれを上方から見た場合には蓄光部材を容易に視認できる一方で、蓄光部材の厚さが小さく、発光輝度も十分でないため、遠くから視認することが困難である。したがって、特にデザイン階段等の、段板の側端面が覆い隠されることなく露出している階段や、蹴込み板が設けられていない階段等の場合には、高い位置にある段板に取り付けられた蓄光部材を下方から見ることが困難であったり、段板の奥行きを蓄光部材によって確認することができなかったりすることにより、暗闇の中でのスムーズな階段の昇降が困難になる場合がある。
【０００５】
また、近年、アクリル樹脂等の紫外線透過率の高い熱可塑性樹脂に蓄光材料の粉粒体を点在させた蓄光樹脂材料が開発されており（例えば、特許文献４参照）、このような蓄光樹脂材料では、熱可塑性樹脂の深部まで紫外線が透過吸収され、内部に点在する蓄光材料の粉粒体に効果的に蓄光されることから、より効率的な蓄光と深部からの発光によって、表面からの発光（面発光）によるものと比較して、発光輝度と発光持続性を著しく向上させることを可能にしている。したがって、このような深部に点在する蓄光材料に紫外線を蓄光させて、発光輝度と発光持続性が向上した蓄光樹脂材料を有効に利用し、暗闇の中においても、遠くや下方からの段板の視認性を向上させると共に、段板の奥行きを容易に確認することを可能にする階段の開発が望まれている。
【０００６】
本発明は、熱可塑性樹脂の深部に点在された蓄光材料による蓄光及び発光によって発光輝度と発光持続性が向上した蓄光樹脂材料を有効に利用して、暗闇の中においても段板を容易に視認させ、スムーズな階段の昇降を行えるようにする光源付き階段を提供することを目的とする。
【課題を解決するための手段】
【０００７】
本発明は、段板本体部の段鼻側端面に沿って、熱可塑性樹脂に蓄光材料の粉粒体を点在させた蓄光樹脂材料からなる段鼻蓄光部材が当該段鼻側端面を覆って取り付けられると共に、段板本体部の奥部側端面に沿って、熱可塑性樹脂に蓄光材料の粉粒体を点在させた蓄光樹脂材料からなる奥部蓄光部材が当該奥部側端面を覆って取り付けられることにより、前記段鼻蓄光部材と前記奥部蓄光部材の間に前記段板本体部が挟まれて階段の段板が構成されている光源付き階段を提供するすることにより、上記目的を達成したものである。
【０００８】
また、本発明の光源付き階段は、前記熱可塑性樹脂が、アクリル樹脂等の紫外線透過率の高い樹脂であることが好ましい。
【０００９】
さらに、本発明の光源付き階段は、前記段鼻蓄光部材と前記奥部蓄光部材が異なる色に着色されていることが好ましい。
【００１０】
さらにまた、本発明の光源付き階段は、前記段板本体部の中間部分に当該段板本体部を分割するように介在して、熱可塑性樹脂に蓄光材料の粉粒体を点在させた蓄光樹脂材料からなる中間蓄光部材が、前記段鼻蓄光部材及び前記奥部蓄光部材と間隔をおいて取り付けられていることが好ましい。
【発明の効果】
【００１１】
本発明の光源付き階段によれば、熱可塑性樹脂の深部に点在された蓄光材料による蓄光及び発光によって発光輝度と発光持続性が向上した蓄光樹脂材料を有効に利用して、暗闇の中においても段板を容易に視認させ、スムーズな階段の昇降を行えるようにすることができる。
【発明を実施するための最良の形態】
【００１２】
図１に示す本発明の好ましい一実施形態に係る光源付き階段１０は、例えば段板１１と蹴込み板１２とによって各段が形成される木造住宅建築物の階段において採用されものであり、夜間や停電時等による暗闇の中においてもその一部が発光する機能を備えており、暗闇の中においても段板１１の位置や段板１２の奥行き容易に視認できるようにして、スムーズな階段１０の昇降を行えるようにするものである。
【００１３】
そして、本実施形態の光源付き階段１０によれば、各段の段板１１は、段板本体部１３の段鼻側端面１３ａに沿って、熱可塑性樹脂に蓄光材料の粉粒体を点在させた蓄光樹脂材料からなる段鼻蓄光部材１４が当該段鼻側端面１３ａを覆って取り付けられると共に、段板本体部１３の奥部側端面１３ｂに沿って、熱可塑性樹脂に蓄光材料の粉粒体を点在させた蓄光樹脂材料からなる奥部蓄光部材１５が当該奥部側端面１３ｂを覆って取り付けられることにより、段鼻蓄光部材１４と奥部蓄光部材１５の間に段板本体部１１が挟まれて構成されている。
【００１４】
また、本実施形態の光源付き階段１０によれば、段板本体部１３の中間部分に当該段板本体部１３を分割するように介在して、熱可塑性樹脂に蓄光材料の粉粒体を点在させた蓄光樹脂材料からなる中間蓄光部材１６が、段鼻蓄光部材１４及び前記奥部蓄光部材１５と間隔をおいて取り付けられている。
【００１５】
本実施形態では、段板１１を構成する段板本体部１３は、好ましくは無垢板、集成材無垢板、人工木材、木質繊維板、合板等の木質材からなり例えば２７〜３９ｍｍ程度の厚さを有している。なお、段板本体部１３は、天然若しくは人造の石材、タイル材、合成樹脂材等であっても良い。
【００１６】
段板１１を構成する段鼻蓄光部材１４、奥部蓄光部材１５、或いは中間蓄光部材１６を形成するための蓄光樹脂材料は、熱可塑性樹脂に蓄光材料の粉粒体を点在させたものである。ここで、熱可塑性樹脂としては、アクリル樹脂、ポリエチレン・テレフタレート、ポリアミド樹脂、エチレン・酢酸ビニール共重合樹脂（ＥＶＡ）等を用いることができるが、紫外線透過率の高い樹脂として、例えばアクリル樹脂を用いることが好ましい。また、蓄光材料の粉粒体としては、例えばアルミン酸ストロンチウム系の蓄光物質等を粉粒状にして用いることができ、好ましくはストロンチウムと酸化アルミナとの化合物であるＳｒＡｌ2Ｏ4の粉粒体を用いることができる。
【００１７】
さらに、蓄光樹脂材料に着色剤を混入して着色することが可能であり、このような着色剤としては、例えばアルミウム粉、ブロンズ粉等の金属粉類、カーボンブラック等の炭素類、酸化チタン、亜鉛華，べんがら等の酸化物類、紺青等のフェロシアン化合物類等の無機顔料、レーキレッドＣ等のアゾ顔料、アジン顔料類、蛍光顔料類等の有機顔料及び塩基性染料が挙げられ、これらの単独又は２種以上の組み合わせで使用することができる。
【００１８】
本実施形態では、段鼻蓄光部材１４は、接着剤を介して段板本体部１３の段鼻側端面１３ａの全体を覆って取り付けられる。接着剤としては、段板１１の構成材料の動きに追随できる柔軟性があり、また例えばアクリル樹脂と木質材との接着が可能な樹脂として、好ましくは一般的なエポキシ樹脂の他、エポキシ樹脂系弾性接着剤や湿気硬化型のアクリル変性シリコーン樹脂等を用いることができる。充填効果のある樹脂として、シリコーンシーラント等を用いることもできる。アクリル樹脂は、表面が平滑で割れやすいことから、接着面にプライマーを塗布したり、サンディング後にエポキシ樹脂で接着することも有効である。その際に、アクリル樹脂の境界面には、衝撃等を吸収する目的で、シリコーン系等の動きに追従できる樹脂をシーリング材として使用することも有効である。なお、これらの接着剤は常温硬化タイプの接着剤であり、接着に際して特別大きな圧力を必要とせず、また強度の発現には例えば１週間程度要するが、加熱することによって時間を短縮することも可能である。塗布量は、例えば１５０ｇ／ｍ2程度とする。
【００１９】
段鼻蓄光部材１４は、段板本体部１３の段鼻側端面１３ａの全体を覆って取り付けられることにより、相当の厚さを有する蓄光樹脂材料として、蹴込み板１２から前方に突出して設けられ、深部に点在する蓄光材料に紫外線を蓄光させると共に、深部の蓄光材料からの発光によって発光輝度と発光持続性を向上させ、暗闇の中でも段板１１を容易に視認できるようにする。また、本実施形態では、段鼻蓄光部材１４の下面１４ａは斜めに傾斜して、下方の蹴込み板１２に滑らかに接続しており、段板本体部１３の先端側上面にすべり防止溝１７が設けられていることと相俟って、例えば住宅の選択可能等級を向上させることが可能になっている。
【００２０】
奥部蓄光部材１５は、上述を同様の接着剤を用いて、段板本体部１３の奥部側端面１３ｂの全体を覆って取り付けられる。奥部蓄光部材１５、段板本体部１３の奥部側端面１３ｂの全体を覆って取り付けられることにより、段板１１の上下の面に露出する相当の厚さ及び幅を有する蓄光樹脂材料として、段板１１の上段側の蹴込み板１２との間に介在して段板１１の後方縁部に沿って設けられ、段板１１の後端部分を明示する。また奥部蓄光部材１５は、深部に点在する蓄光材料に紫外線を蓄光させると共に、深部の蓄光材料からの発光によって発光輝度と発光持続性を向上させ、暗闇の中でも段板１１を容易に視認できるようにする。
【００２１】
中間蓄光部材１６は、上述を同様の接着剤を用いて、段鼻蓄光部材１４と奥部蓄光部材１５とによって挟まれる段板本体部１３の中間部分に介在して、段板本体部１３を前後に２分割するように段鼻蓄光部材１４及び奥部蓄光部材１５と平行に延設して設けられる。中間蓄光部材１６は、段板１１の上下の面に露出する相当の厚さ及び幅を有する蓄光樹脂材料として段板１１の中間部分に設けられ、深部に点在する蓄光材料に紫外線を蓄光させると共に、深部の蓄光材料からの発光によって発光輝度と発光持続性を向上させ、暗闇の中での段板１１の視認性をさらに向上させることになる。
【００２２】
そして、上述の構成を有する本実施形態の光源付き階段１０では、暗闇の中においても段板１１を容易に視認させ、スムーズな階段の昇降を行えるようにすることができる。すなわち、本実施形態では、段板本体部１３の段鼻側端面１３ａ及び奥部側端面１３ｂを覆って、相当の厚さを有する段鼻蓄光部材１４と奥部蓄光部材１５が各々取り付けられており、これらの段鼻蓄光部材１４及び奥部蓄光部材１５が熱可塑性樹脂に蓄光材料の粉粒体を点在させた蓄光樹脂材料からなっていて、熱可塑性樹脂の深部に点在された蓄光材料による蓄光及び発光によって発光輝度と発光持続性が向上しているので、暗闇の中で遠くや下方から段板１１を容易に視認することが可能になると共に、段板本体部１３を挟んで先端縁部及び後端縁部こ設けられた段鼻蓄光部材１４及び奥部蓄光部材１５によって、各段板１１の奥行きを容易に視認することが可能になり、これらによって、暗闇の中においてもスムーズな階段１０の昇降うことが可能になる。
【００２３】
また、本実施形態では、段鼻蓄光部材１４と奥部蓄光部材１５を異なる色に着色しておくこともでき、これによって階段１０の意匠性を向上させることも可能になる。
【００２４】
図２は、本発明の他の実施形態に係る光源付き階段２０として、段板１１の側端面が覆い隠されることなく露出しおり、且つ蹴込み板が設けられていないデザイン階段に本発明を適用した例を示すものである。図２に示すデザイン階段２０によれば、段板本体部１３を挟んで先端縁部及び後端縁部こ設けられた段鼻蓄光部材１４及び奥部蓄光部材１５によって、各段板１１を、暗闇の中で遠くや下方から容易に視認することが可能になると共に、段板本体部１３を挟んで先端縁部及び後端縁部こ設けられた段鼻蓄光部材１４及び奥部蓄光部材１５によって、蹴込み板が無くても各段板１１の奥行きを容易に視認することが可能になり、これらによって、暗闇の中においてもスムーズな階段２０の昇降うことが可能になると共に、意匠性に富んだデザイン階段２０を構成することが可能になる。
【００２５】
なお、本発明は上記実施形態に限定されることなく種々の変更が可能である。例えば、段板本体部の中間部分に介在して中間蓄光部材を設ける必要は必ずしもない。また、本発明は、直線状の階段以外の、廻り階段等においても適用することができる。
【図面の簡単な説明】
【００２６】
【図１】本発明の好ましい一実施形態に係る光源付き階段の構成を説明する要部斜視図である。
【図２】（ａ）は本発明の好ましい他の実施形態に係る光源付き階段の側面図、（ｂ）は同正面図である。
【符号の説明】
【００２７】
１０  光源付き階段
１１  段板
１２  蹴込み板
１３  段板本体部
１３ａ  段板本体部の段鼻側端面
１３ｂ  段板本体部の奥部側端面
１４  段鼻蓄光部材
１４ａ  段鼻蓄光部材の下面
１５  奥部蓄光部材
１６  中間蓄光部材
１７  すべり防止溝
２０  光源付き階段（デザイン階段）
【図１】
2007231550.tif 000003
【図２】
2007231550.tif 000004